(57)【要約】【課題】残存歯をそのままの状態として磁性材料と永久磁石構造体との磁気吸着力を利用して口腔内に強固に保持させることができるマグネット式挟持型有床義歯を提供する。【解決手段】マグネット式挟持型有床義歯を、人工歯１が固設されており頬側に永久磁石構造体３又はキーパー５が固定されている舌側の主義歯床２と、舌側にキーパー５又は永久磁石構造体３が固定されておりキーパー５が永久磁石構造体３に吸着された際に主義歯床２との当接面にその舌側の当接面が密着する頬側の補助義歯床４とから成り、補助義歯床４は歯列弓に沿った一方が隣接する残存歯の歯茎部に、他方が隣接する残存歯又は主義歯床２の隣接する人工歯の歯茎部に適合する形状を、主義歯床２は歯列弓に沿った一方が隣接する残存歯の歯茎部に、他方が隣接するか又は隣接していない残存歯の歯茎部にそれぞれ適合する形状を成すようにする。【選択図】　　　　図１
2004089443.tif 000002
【特許請求の範囲】
【請求項１】
人工歯（１）が固設されており頬側に永久磁石構造体（３）又はキーパー（５）が固定されている舌側の主義歯床（２）と、舌側に該永久磁石構造体（３）又はキーパー（５）に吸着されるキーパー（５）又は永久磁石構造体（３）が固定されており該キーパー（５）が該永久磁石構造体（３）に吸着された際に該主義歯床（２）との当接面にその舌側の当接面が密着する頬側の補助義歯床（４）とから成り、該補助義歯床（４）はその歯列弓に沿った一方が隣接する残存歯の歯茎部に適合する形状を成し、歯列弓に沿った他方が隣接する残存歯又は主義歯床（２）の隣接する人工歯の歯茎部に適合する形状を成しており、該主義歯床（２）はその歯列弓に沿った一方が隣接する残存歯の歯茎部に適合する形状を成し、他方が隣接するか又は隣接していない残存歯の歯茎部にそれぞれ適合する形状を成していることを特徴とするマグネット式挟持型有床義歯。
【請求項２】
永久磁石構造体（３）とキーパー（５）との吸着面が平面である請求項１に記載のマグネット式挟持型有床義歯。
【請求項３】
永久磁石構造体（３）とキーパー（５）との吸着面が球面である請求項１に記載のマグネット式挟持型有床義歯。
【請求項４】
永久磁石構造体（３）とキーパー（５）との吸着面を挟む位置の舌側の主義歯床（２）と頬側の補助義歯床（４）とに互いに係合する凹凸部（２ａ，４ａ）が設けられている請求項１から３までのいずれか１項に記載のマグネット式挟持型有床義歯。
【請求項５】
舌側の主義歯床（２）と頬側の補助義歯床（４）との一方に連結穴（２ｂ又は４ｂ）が穿設されており、他方に該連結穴（２ｂ又は４ｂ）に嵌入される嵌入部材（４ｃ又は２ｃ）が突設されている請求項１から４までのいずれか１項に記載のマグネット式挟持型有床義歯。
【請求項６】
連結穴（２ｂ又は４ｂ）が中空部材（６）で構成されている請求項５に記載のマグネット式挟持型有床義歯。
【請求項７】
中空部材（６）の中空横断面形状が矩形である請求項６に記載のマグネット式挟持型有床義歯。
【請求項８】
中空部材（６）が２本以上設けられており、各中空部材（６）が連結部材（７）で平行に保持されている請求項６又は７に記載のマグネット式挟持型有床義歯。
【発明の詳細な説明】
【０００１】
【発明の属する技術分野】
本発明は、人の口腔内において残存歯が存在する場合にその残存歯を切削することなく磁性材料と永久磁石構造体との磁気吸着力を利用して口腔内に強固に保持させることができるマグネット式挟持型有床義歯に関するものである。
【０００２】
【従来の技術】
近年、簡便な着脱が可能であると共に見栄えの良さや設計の自由度が大きい等の理由から永久磁石構造体を義歯床の顎堤の頂上に相当する位置に埋め込んで口腔内の支台歯に固着した磁性材料から成るキーパーとの磁気吸着力を利用して維持・固定を行うようにされている義歯が多用されるようになってきている。
【０００３】
このような義歯を口腔内の所定位置に維持・固定するための原理を簡単に説明する。先ず、歯根が残っている歯を支台歯となるように切削し、その歯根に形成した根管部に軟磁性ステンレス鋼などの磁性材料を用いたキーパーをその上端が口腔内側に露出して所定位置に位置するように埋め込んで歯科用セメントなどの接着剤を用いて固定しておく。この状態で印象を採得して、石膏模型を作製し、この石膏模型を利用して予め前述のキーパーに対応する位置に永久磁石構造体を取り付けるための空間が石膏ダミーやハウジングパターンを利用して確保されている合成樹脂製及び／又は金属製の義歯床を作製した後、永久磁石構造体を前述した予め確保してある空間内に歯科用セメントや歯科用コンポジットレジンを用いて義歯床に接着固定すると、キーパーと永久磁石構造体との間の磁気吸着力を利用することが可能になるから、義歯の着脱自在が簡便であるにも拘わらず、義歯の口腔内における維持と固定とが可能になるのである。
【０００４】
このような磁気吸着力を利用した義歯を作製し装着するようになると、患者にとって従来のクラスプ（鉤）のみを用いた義歯と比べ様々な恩恵が受けられるようになる。例えば、口腔内においては、維持装置としてのクラスプが全く必要無いか又は少なくて済むようになるので異物感が軽減されると共に、形状がシンプル（突起物がない）となるから義歯を清掃し易くなるなどである。また、施術する側にとっても、歯根が残っていればキーパーを固定することができるため義歯の設計の自由度が高まるのである。
【０００５】
しかしながら、このような義歯は顎堤に対して垂直方向に着脱して使用するものであるので、例えばガムや餅などを咀嚼すると永久磁石構造体とキーパーとの間に作用する磁気吸引力だけでは義歯の口腔内における維持と固定とが不充分で義歯が顎堤から外れてしまう現象が発生するという欠点があると共に、使用する残存歯が健全歯の場合にはその残存歯を健全歯であるにも拘らず切削して支台歯としなければならないので、患者の負担が大きいという欠点があった。
【０００６】
更に、このような義歯は支台歯の歯根に形成した根管部に磁性材料を用いたキーパーを固定しておくことが必要であるので、ＭＲＩ法（磁気共鳴映像法）によって患者の頭部の中枢神経系の画像診断を行う場合に体内にキーパーという金属が存在していることによって画像の欠損や歪み，異常高信号の発生という「磁化率アーチファクト」が発生するという大きな欠点があった。
【０００７】
【発明が解決しようとする課題】
本発明は、前記したような従来の永久磁石構造体を固定した義歯の欠点を解消し、ガムや餅などのような粘着力の大きなものを咀嚼しても義歯が顎堤から外れてしまう現象が発生せず、また未だ健全な残存歯が存在していればその残存歯を全く切削することなく作製することが可能なマグネット式挟持型有床義歯を提供することを課題とする。
【０００８】
【課題を解決するための手段】
本発明者は、前記課題を解決すべく鋭意研究の結果、従来の永久磁石構造体を固定した義歯は顎堤に対して垂直方向に着脱して使用するものであるので、ガムや餅などのような粘着力の大きなものを咀嚼すると義歯が顎堤から外れてしまう現象が発生するのであり、未だ健全な残存歯が離れて２本以上存在していればその残存歯を舌側と頬側とから義歯床で挟持するように義歯床を分割し、その分割した舌側の主義歯床の頬側に固定した永久磁石構造体又はキーパーと頬側の補助義歯床に固定したキーパー又は永久磁石構造体との磁気吸着力で舌側と頬側の義歯床同士を吸着するようにすれば、舌側と頬側の義歯床同士は確実に一体化し、しかも顎堤から外れてしまう現象が発生することがないことを究明して本発明を完成するに至ったのである。
【０００９】
即ち本発明は、人工歯が固設されており頬側に永久磁石構造体又はキーパーが固定されている舌側の主義歯床と、舌側に該永久磁石構造体又はキーパーに吸着されるキーパー又は永久磁石構造体が固定されており該キーパーが該永久磁石構造体に吸着された際に該主義歯床との当接面にその舌側の当接面が密着する頬側の補助義歯床とから成り、該補助義歯床はその歯列弓に沿った一方が隣接する残存歯の歯茎部に適合する形状を成し、歯列弓に沿った他方が隣接する残存歯又は主義歯床の隣接する人工歯の歯茎部に適合する形状を成しており、該主義歯床はその歯列弓に沿った一方が隣接する残存歯の歯茎部に適合する形状を成し、他方が隣接するか又は隣接していない残存歯の歯茎部にそれぞれ適合する形状を成していることを特徴とするマグネット式挟持型有床義歯に関するものである。
【００１０】
そして、このようなマグネット式挟持型有床義歯において、永久磁石構造体とキーパーとの吸着面の形状は平面である場合の他に球面である場合があり、永久磁石構造体とキーパーとの吸着面を挟む位置の舌側の主義歯床と頬側の補助義歯床とに互いに係合する凹凸部が設けられていたり、舌側の主義歯床と頬側の補助義歯床との一方に連結穴が穿設されており他方に該連結穴に嵌入される嵌入部材が突設されていたりして、舌側の主義歯床と頬側の補助義歯床とが一度一体化すると外れ難い構造になっていることが好ましく、前記連結穴が穿設されている場合にはその連結穴は中空部材で構成されていると強度が増して好ましく、この中空部材の中空横断面形状は方向性を確保する意味で矩形であることが好ましく、中空部材は２本以上設けられていて且つ各中空部材が連結部材で平行に保持されていることがより好ましいことも究明したのである。
【００１１】
【発明の実施の形態】
以下、図面により本発明に係るマグネット式挟持型有床義歯の実施例について詳細に説明する。
図１は舌側の主義歯床に連結穴が穿設されていると共に永久磁石構造体が固定されている本発明に係るマグネット式挟持型有床義歯の１実施例において頬側の補助義歯床と舌側の主義歯床とを分離した状態を頬側から見た斜視図、図２は図１のマグネット式挟持型有床義歯を石膏模型上に装着した状態を示す斜視図、図３は図１のマグネット式挟持型有床義歯において頬側の補助義歯床を舌側の主義歯床に取り付けた状態で永久磁石構造体とキーパーとの吸着面の位置で切断した拡大縦断面図、図４は図１のマグネット式挟持型有床義歯において頬側の補助義歯床を舌側の主義歯床に取り付けた状態で連結穴に嵌入部材が嵌入された位置で切断した拡大縦断面図、図５は図１のマグネット式挟持型有床義歯において舌側の主義歯床の連結穴と頬側の補助義歯床の嵌入部材との代わりに永久磁石構造体とキーパーとの吸着面を挟む位置の舌側の主義歯床と頬側の補助義歯床とに互いに係合する凹凸部が設けられている実施例における頬側の補助義歯床を舌側の主義歯床に取り付けた状態で永久磁石構造体とキーパーとの位置で切断した拡大横断面図、図６は本発明に係るマグネット式挟持型有床義歯の他の実施例において頬側の補助義歯床と舌側の主義歯床とを分離した状態を舌側から見た斜視図、図７は一方の補助義歯床と主義歯床とを図６を一方の頬側から見た斜視図、図８は図６の本発明に係るマグネット式挟持型有床義歯を他方の頬側から見た斜視図である。
【００１２】
図面中、１は合成樹脂や陶材等で所定形状に形成されている人工歯であり、通常市販のものが使用される。
【００１３】
２は人工歯１が固設されており頬側に永久磁石構造体３又はキーパー５（図示した各実施例では永久磁石構造体３）が固定されている舌側の主義歯床であり、この固定されている永久磁石構造体３又はキーパー５と後述する頬側の補助義歯床４の舌側に固定されているキーパー５又は永久磁石構造体３との吸着面（永久磁石構造体３とキーパー５との吸着面）は平面である場合と球面である場合とがある。この舌側の主義歯床２の頬側には更に後述する頬側の補助義歯床４と互いに係合する凹凸部２ａが設けられていたり、連結穴２ｂが穿設されていたり、嵌入部材２ｃが突設されていたりする態様がある。この主義歯床２は、図１〜図４に示す実施例のようにその歯列弓に沿った両方が隣接する残存歯の歯茎部にそれぞれ適合する形状を成しているか、又は図６〜図８に示す実施例のようにその歯列弓に沿った一方が隣接する残存歯の歯茎部に適合する形状を成し他方が隣接していない残存歯の歯茎部にそれぞれ適合する形状を成している。
【００１４】
４は舌側の主義歯床２に固定されている永久磁石構造体３又はキーパー５に吸着されるキーパー５又は永久磁石構造体３が舌側に固定されており、その歯列弓に沿った一方が隣接する残存歯の歯茎部に適合する形状を成し、歯列弓に沿った他方が隣接する残存歯又は主義歯床２の隣接する人工歯の歯茎部に適合する形状を成している頬側の補助義歯床である。この頬側の補助義歯床４の舌側には、主義歯床２に凹凸部２ａが設けられている場合にはこの凹凸部２ａに互いに係合する凹凸部４ａが設けられており、主義歯床２に連結穴２ｂが穿設されている場合にはこの連結穴２ｂに嵌入される嵌入部材４ｃが突設されており、主義歯床２に嵌入部材２ｃが突設されている場合にはこの嵌入部材２ｃが嵌入される連結穴４ｂが穿設されている。
【００１５】
前記したように舌側の主義歯床２や頬側の補助義歯床４に連結穴２ｂや４ｂが穿設されている場合に、この連結穴２ｂや４ｂは義歯床を構成するレジン材料等に直接穿設されているものであってもよいが、嵌入された嵌入部材２ｃや４ｃを強固に保持できるようにステンレス鋼のような耐蝕性に優れた硬質素材で形成された中空部材６で構成されていることが好ましく、またその中空部材６の中空横断面形状は嵌入部材２ｃや４ｃを連結穴４ｂや２ｂに嵌入すると回転できない矩形であることが好ましく、図４に示すように一端が閉鎖されていても、また図示しないが両端が開放していてもよい。そして、この中空部材６が２本以上設けられていると、舌側の主義歯床２と頬側の補助義歯床４とをより確実に保持することができるが、この場合各中空部材６はその軸方向が平行に維持されていることが必要であるので、各中空部材６は連結部材７で平行に保持されていることが好ましい。
【００１６】
このような構成から成る本発明に係るマグネット式挟持型有床義歯を使用するには、先ず舌側の主義歯床２をその人工歯１が固着されている部分を欠損歯部に位置するように、即ち主義歯床２の顎堤側が口腔内の顎堤に当接し且つ隣接するか又は隣接していない残存歯の歯茎部にそれぞれ適合する形状を成している部分をそれに対応する残存歯の歯茎部にそれぞれ適合させるように、舌側から装着する。
【００１７】
次いで、頬側の補助義歯床４をその舌側に固定されているキーパー５又は永久磁石構造体３が舌側の主義歯床２の頬側に固定されている永久磁石構造体３又はキーパー５に磁気吸着されるように位置せしめる。この際、永久磁石構造体３とキーパー５との吸着面を挟む位置の舌側の主義歯床２と頬側の補助義歯床４とに互いに係合する凹凸部２ａと４ａとが設けられている態様の場合は、主義歯床２に設けられている凹凸部２ａと補助義歯床４に設けられている凹凸部４ａとが互いに係合するように位置せしめる。また、舌側の主義歯床２の頬側に連結穴２ｂが穿設されている場合には、頬側の補助義歯床４の舌側に突設されている嵌入部材４ｃを連結穴２ｂ内に嵌入するように頬側の補助義歯床４を位置せしめるのであり、舌側の主義歯床２の頬側に嵌入部材２ｃが突設されている場合には、頬側の補助義歯床４の舌側に穿設されている連結穴４ｂに嵌入部材２ｃが嵌入するように頬側の補助義歯床４を位置せしめるのである。このような操作は、舌側の主義歯床２の頬側に固定されている永久磁石構造体３又はキーパー５と頬側の補助義歯床４の舌側に固定されているキーパー５又は永久磁石構造体３との磁気吸着面が球面であると、磁気吸着面が平面である場合に比べて方向性における自由度が高いため、舌側の主義歯床２の頬側の形状及び頬側の補助義歯床４の舌側の形状の設計の自由度が高まり、前述した主義歯床２に凹凸部２ａをまた補助義歯床４に凹凸部４ａを設ける態様において頬側の補助義歯床４を舌側の主義歯床２の頬側に位置せしめる操作において厳密な方向性を要求されないので好ましく、更に凹凸部２ａ，４ａが曲面の場合にはキーパー５又は永久磁石構造体３の曲面と形状を合わせることにより、キーパー５又は永久磁石構造体３の固定位置の自由度も高くなる。かくして頬側の補助義歯床４の舌側に固定されているキーパー５又は永久磁石構造体３が舌側の主義歯床２の頬側に固定されている永久磁石構造体３又はキーパー５に磁気吸着されると、補助義歯床４の舌側の主義歯床２との当接面は主義歯床２の頬側の当接面と密着し、補助義歯床４の歯列弓に沿った一方が隣接する残存歯の歯茎部に適合し、歯列弓に沿った他方が隣接する残存歯又は主義歯床２の隣接する人工歯の歯茎部に適合するのである。
【００１８】
かかる操作は、例えば図１〜図４に示す実施例のように連続して配列された人工歯１の数が少ないマグネット式挟持型有床義歯の場合には１回の操作で口腔内への義歯の装着が完了するが、図６〜図８に示す実施例のように人工歯１が左右の臼歯部や更には前歯部にも配列されていて口蓋床部や図６〜図８における口蓋床部が存在しない長い咬合堤部を有するマグネット式挟持型有床義歯の場合には補助義歯床４は複数に分割して作製されるのでその補助義歯床４の数だけ頬側の補助義歯床４を舌側の主義歯床２に装着する操作を行って口腔内への義歯の装着が完了するのである。
【００１９】
このようにして先ず口腔内へ舌側の主義歯床２を装着し、次いで頬側の補助義歯床４をその主義歯床２に装着させると、主義歯床２に固定されている永久磁石構造体３又はキーパー５と補助義歯床４に固定されているキーパー５又は永久磁石構造体３とが磁力により吸着されて主義歯床２と補助義歯床４とは両床２，４の当接面同士は密着して一体となり、義歯の咬合面に垂直な方向に力が作用してもその一体状態が維持されるのであり、また主義歯床２と補助義歯床４とは結果的に２歯以上の残存歯の歯茎部に適合した状態で口腔内に装着されていることになるから、ガムや餅のような粘着力の強い食品を咀嚼しても顎堤から外れることはないのである。
【００２０】
このような効果は、永久磁石構造体３とキーパー５との吸着面を挟む位置の舌側の主義歯床２と頬側の補助義歯床４とに互いに係合する凹凸部２ａと４ａが設けられていたり、舌側の主義歯床２と頬側の補助義歯床４との一方に連結穴２ｂ又は４ｂが穿設されており、他方にその連結穴２ｂ又は４ｂに嵌入される嵌入部材４ｃ又は２ｃが突設されていたりすれば、主義歯床２に対する補助義歯床４の移動可能な方向が補助義歯床４を主義歯床２に装着する方向だけに限定されるのでより顕著になるのある。そして、舌側の主義歯床２と頬側の補助義歯床４との一方に連結穴２ｂ又は４ｂが穿設されている場合において、連結穴２ｂ又は４ｂが中空部材６で構成されていると、連結穴２ｂ又は４ｂの強度が向上し舌側の主義歯床２と頬側の補助義歯床４との他方に突設されている嵌入部材４ｃ又は２ｃを連結穴２ｂ又は４ｂに繰返し嵌出入しても舌側の主義歯床２又は頬側の補助義歯床４が損傷することを防ぐことができるのであり、この中空部材６の中空横断面形状が矩形であると補助義歯床４が主義歯床２に対して回転する現象が発生することを防止でき、この回転防止効果は中空部材６が２本以上設けられており各中空部材６が連結部材７で平行に保持されているとより効果的である。
【００２１】
【発明の効果】
以上に詳述したように、本発明に係るマグネット式挟持型有床義歯は従来の永久磁石構造体を使用していない義歯と同様に咬合圧は顎堤で受けるものではあるが、従来の永久磁石構造体を使用していない義歯や永久磁石構造体を義歯床の顎堤の頂上に相当する位置に埋め込んでいる義歯のようにガムや餅のような粘着力の強い食品を咀嚼しても顎堤から外れることがなく、従来や永久磁石構造体を使用している義歯のように健全な残存歯を切削して支台歯を形成する必要が全くなく、ＭＲＩ法（磁気共鳴映像法）によって患者の頭部の画像診断を行う場合に体内にキーパーという金属が存在していることによって「磁化率アーチファクト」が発生するという欠点もなく、外観も優れたものであり、その歯科分野に貢献する価値の非常に大きなものである。
【図面の簡単な説明】
【図１】舌側の主義歯床に連結穴が穿設されていると共に永久磁石構造体が固定されている本発明に係るマグネット式挟持型有床義歯の１実施例において頬側の補助義歯床と舌側の主義歯床とを分離した状態を頬側から見た斜視図である。
【図２】図１のマグネット式挟持型有床義歯を石膏模型上に装着した状態を示す斜視図である。
【図３】図１のマグネット式挟持型有床義歯において頬側の補助義歯床を舌側の主義歯床に取り付けた状態で永久磁石構造体とキーパーとの吸着面の位置で切断した縦拡大断面図である。
【図４】図１のマグネット式挟持型有床義歯において頬側の補助義歯床を舌側の主義歯床に取り付けた状態で連結穴に嵌入部材が嵌入された位置で切断した拡大縦断面図である。
【図５】図５は図１のマグネット式挟持型有床義歯において舌側の主義歯床の連結穴と頬側の補助義歯床の嵌入部材との代わりに永久磁石構造体とキーパーとの吸着面を挟む位置の舌側の主義歯床と頬側の補助義歯床とに互いに係合する凹凸部が設けられている実施例における頬側の補助義歯床を舌側の主義歯床に取り付けた状態で永久磁石構造体とキーパーとの位置で切断した拡大横断面図である。
【図６】本発明に係るマグネット式挟持型有床義歯の他の実施例において頬側の補助義歯床と舌側の主義歯床とを分離した状態を舌側から見た斜視図である。
【図７】一方の補助義歯床と主義歯床とを図６を一方の頬側から見た斜視図である。
【図８】図６の本発明に係るマグネット式挟持型有床義歯を他方の頬側から見た斜視図である。
【符号の説明】
１　人工歯
２　舌側の主義歯床
２ａ　凹凸部
２ｂ　連結穴
２ｃ　嵌入部材
３　永久磁石構造体
４　頬側の補助義歯床
４ａ　凹凸部
４ｂ　連結穴
４ｃ　嵌入部材
５　キーパー
６　中空部材
７　連結部材
【図１】
2004089443.tif 000003
【図２】
2004089443.tif 000004
【図３】
2004089443.tif 000005
【図４】
2004089443.tif 000006
【図５】
2004089443.tif 000007
【図６】
2004089443.tif 000008
【図７】
2004089443.tif 000009
【図８】
2004089443.tif 000010